(57)【要約】【課題】  開示する乗物用椅子の背もたれは、ドライバー個々人の体格、背骨の形状などを考慮した上で、長時間の運転に適した姿勢を継続させることができる。【解決手段】  開示する乗物用椅子の背もたれの一形態は、円筒形のチューブを複数備え、前記各チューブは長辺方向において連結され、前記各チューブは、該各チューブ内の気体を出し入れするための気体流出入口を有することを特徴とする。また開示する乗物用椅子の背もたれの一形態は、一方の端部に連結された前記チューブの直径は、他の該チューブの直径に比し大きいことを特徴とする。【選択図】図１
0003166672.tif 000002
【実用新案登録請求の範囲】
【請求項１】
円筒形のチューブを複数備え、
前記各チューブは長辺方向において連結され、
前記各チューブは、該各チューブ内の気体を出し入れするための気体流出入口を有することを特徴とする乗物用椅子の背もたれ。
【請求項２】
一方の端部に連結された前記チューブの直径は、他の該チューブの直径に比し大きいことを特徴とする請求項１に記載の乗物用椅子の背もたれ。
【請求項３】
連結された前記各チューブは、同一方向に尖った形状を備えることを特徴とする請求項１又は２に記載の自動車用いすの背もたれ。
【請求項４】
当該乗物用椅子の背もたれを椅子に固定するための椅子固定部材を備えることを特徴とする請求項１乃至３の何れか一に記載の乗物用椅子の背もたれ。
【考案の詳細な説明】
【技術分野】
【０００１】
乗物用椅子又は乗物用椅子の背もたれに関する技術である。
【背景技術】
【０００２】
自動車を長時間運転する場合、ドライバーは長時間に渡り同じ姿勢を取る必要があるため、背中や腰が痛くなるという問題が有る。
【０００３】
この問題を改善させるために種々の提案がされている。例えば特許文献１では、「ほぼ円筒形の柱体を底面にほぼ垂直な面によって切断した半円筒形の形状をなし、弾性を有する材質によって形成され、背もたれ部分の縦中心軸に前記半円筒形の中心線が来るように配置された突起部を備える突起付き自動車用シート」が提案されている。
【先行技術文献】
【特許文献】
【０００４】
【特許文献１】特開２００９−８９９１７号公報
【考案の概要】
【考案が解決しようとする課題】
【０００５】
しかしながら上記技術においては、運転中のドライバーに長時間の運転に適した姿勢を保たせることができず、当該ドライバーが長時間の運転を行った場合、結果として背中や腰が痛くなるという問題点が有る。
【０００６】
そこで本考案においては、ドライバー個々人の体格、背骨の形状などに適合すると共に、長時間の運転に適した姿勢を継続させる乗物用椅子の背もたれを提供することを目的とする。
【課題を解決するための手段】
【０００７】
開示する乗物用椅子の背もたれの一形態は、円筒形のチューブを複数備え、前記各チューブは長辺方向において連結され、前記各チューブは、該各チューブ内の気体を出し入れするための気体流出入口を有することを特徴とする。
さらに、開示する乗物用椅子の背もたれの一形態は、一方の端部に連結された前記チューブの直径が、他の該チューブの直径に比し大きいことを特徴とする。
さらに、開示する乗物用椅子の背もたれの一形態は、連結された前記各チューブが、同一方向に尖った形状を備えることを特徴とする。
さらに、開示する乗物用椅子の背もたれの一形態は、当該乗物用椅子の背もたれを椅子に固定するための椅子固定部材を備えることを特徴とする。
【考案の効果】
【０００８】
開示する乗物用椅子の背もたれは、ドライバー個々人の体格、背骨の形状などを考慮した上で、長時間の運転に適した姿勢を継続させることができる。
【図面の簡単な説明】
【０００９】
【図１】本実施の形態に係る乗物用椅子の背もたれを椅子に装着した図である。
【図２】本実施の形態に係る乗物用椅子の背もたれの斜視図である。
【図３】本実施の形態に係る乗物用椅子の背もたれの別形態を示した図である。
【考案を実施するための形態】
【００１０】
図面を参照しながら、本考案を実施するための形態について説明する。
（本実施の形態に係る乗物用椅子の背もたれの構造）
図１を用いて、本実施の形態に係る乗物用椅子の背もたれ１の構造について説明する。図１は、乗物用椅子の背もたれ１を乗物用椅子（例えば自動車用の椅子であり、以下、単に椅子という。）５０に装着した図である。図１で示すように、乗物用椅子の背もたれ１は、円筒形チューブ１０を複数備えている。円筒形チューブ１０は、気体流出入口２０を備え、気体流出入口２０から気体を円筒形チューブ１０内部に流出入させることでその大きさを調節することができる。気体流出入口２０から気体を流出入させる場合、その作業は人が行っても良く機械が行っても良い。
【００１１】
図２は、乗物用椅子の背もたれ１の斜視図である。図２で示すように、各円筒形チューブ１０は、長辺方向においてそれぞれ連結されている。そして、図１及び図２で示すように、最上段に連結される円筒形チューブ３０は、他の円筒形チューブ１０よりその直径が大きくなっている。また、最上段に連結される円筒形チューブ３０は、椅子５０が備えるヘッドレスト下部分、かつ、ドライバー６０の首の後ろ部分に配置されることが好適である。例えば、円筒形チューブ１０の直径を７０ｍｍ程度とした場合、円筒形チューブ３０の直径は１２０ｍｍ程度となる。
【００１２】
乗物用椅子の背もたれ１は、椅子５０からずれ落ちないようにするための椅子固定部材４０を備えている。椅子固定部材４０は、紐状の部材であっても良い。また、図１で示すように、椅子固定部材４０は、椅子５０の本体とヘッドレストとを連結する部分に引っ掛け、乗物用椅子の背もたれ１を椅子５０に吊り下げるような形態であっても良い。
【００１３】
図３は、乗物用椅子の背もたれ１の別形態を示した図である。図３で示すように、乗物用椅子の背もたれ１の別形態において、円筒形チューブ１０、３０はドライバー６０と接触する面が尖った形状をしている。こうすることにより、円筒形チューブ１０、３０からドライバー６０に対し適度な刺激を与えることができる。
（本実施の形態に係る乗物用椅子の背もたれの使用方法）
【００１４】
図１乃至図３を用いて、本実施の形態に係る乗物用椅子の背もたれ１の使用方法について説明する。ドライバー６０は、自分の背中、腰の形状・具合に応じて、各円筒形チューブ１０、３０内部に充填させる気体の量を調節する。その際、ドライバー自ら気体流出入口２０から空気を吹き込んだり流出させても良いし、機械を使用して所定の気体を気体流出入口２０から流出入させても良い。
【００１５】
各円筒形チューブ１０、３０内部に充填させる気体の量を調節した後、椅子固定部材４０を利用して、乗物用椅子の背もたれ１を椅子５０に固定する。その後、ドライバー６０は、乗物用椅子の背もたれ１を装着した椅子５０に座り、運転を開始する。
（総括）
【００１６】
乗物用椅子の背もたれ１は、各ドライバー６０の背中・腰の形状・具合によって、また、同一ドライバー６０であっても使用時の背中・腰の具合によって、各円筒形チューブ１０、３０の大きさ（内部空気圧）を調節できるので、長時間の運転に適した姿勢を継続させることができる。
【００１７】
さらには、乗物用椅子の背もたれ１は、ストレッチ体操を行う際地面に引くマットとしても利用可能であり、その場合も各利用者の背中・腰の具合によって、各円筒形チューブ１０、３０の大きさ（内部空気圧）を調節することができる。
【００１８】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１９】
１    乗物用椅子の背もたれ
１０  円筒形チューブ
２０  気体流出入口
３０  円筒形チューブ（最上部に連結されたもの）
４０  椅子固定部材
５０  椅子（乗物用椅子）
６０  ドライバー
【図１】
0003166672.tif 000003
【図２】
0003166672.tif 000004
【図３】
0003166672.tif 000005
【手続補正書】
【提出日】平成23年1月12日(2011.1.12)
【手続補正１】
【補正対象書類名】実用新案登録請求の範囲
【補正対象項目名】全文
【補正方法】変更
【補正の内容】
【実用新案登録請求の範囲】
【請求項１】
乗物用椅子の背もたれであって、
円筒形のチューブを複数備え、
前記各チューブは、前記背もたれの上下方向へ並列に連結され、
前記各チューブは、該各チューブ内の気体を出し入れするための気体流出入口を有することを特徴とする乗物用椅子の背もたれ。
【請求項２】
一方の端部に連結された前記チューブの直径は、他の該チューブの直径に比し大きいことを特徴とする請求項１に記載の乗物用椅子の背もたれ。
【請求項３】
連結された前記各チューブは、前記乗物用椅子に座る者の背面と接する部分が尖った形状であることを特徴とする請求項１又は２に記載の乗物用椅子の背もたれ。
【請求項４】
当該乗物用椅子の背もたれを椅子に固定するための椅子固定部材を備えることを特徴とする請求項１乃至３の何れか一に記載の乗物用椅子の背もたれ。